(57)【要約】【目的】冷風吐出ダクトを備えた局所冷房用の空気調和機において、冷風吐出ダクトを分解することなく保管ができるようにする。【構成】枠体１内には圧縮機２とコンデンサ３とエバポレータ５とで構成する冷凍サイクルを備え、枠体１の前面に形成した冷風吹出し口６の前面を覆いながら枠体１の前面に固定する冷風吹出し口カバー７を設ける。冷風吹出し口カバー７の上部に形成した開口７ａには冷風吐出ダクト８を装着し、冷風吐出ダクト８の基部８ｂと吹出し口カバー７の開口７ａとの間には固定手段９を設け、冷風吐出ダクト８の基部８ｂが冷風吹出し口カバー７の開口７ａに保持されている。また、固定手段９の係合を外すと冷風吐出ダクト８の基部８ｂが開放され、冷風吐出ダクト８の全部もしくは一部を冷風吹出し口カバー７内に設けたダクト収納空間７ｂに収納したり、冷風吹出し口カバー７から取外すことができる。【選択図】          図１
2004205167.tif 000002
【特許請求の範囲】
【請求項１】
空気調和機の枠体１内には、
冷媒を圧縮する圧縮機２と、高温のガス状冷媒が送られるコンデンサ３と、液化した冷媒が減圧器４を介して送られるエバポレータ５と、コンデンサ３及びエバポレータ５のそれぞれに送風する送風ファン３ａ・５ａと、エバポレータ５の送風ファン５ａの吐出口に接続する冷風吹出し口６とを設け、
前記エバポレータ５で気化した冷媒が圧縮機２に戻される冷凍サイクルを構成する一体形の空気調和機において、
前記枠体１の前面に形成した冷風吹出し口６の前面を覆いながら枠体１の前面に固定する冷風吹出し口カバー７を設け、
該冷風吹出し口カバー７の前部は冷風吹出し口６から離れるように突出して上部に開口７ａを形成し、
該開口７ａには先端の冷風吐出部８ａを任意方向に変更可能とするフレキシブルで伸縮可能な冷風吐出ダクト８を装着し、
該冷風吐出ダクト８の基部８ｂと吹出し口カバー７の開口７ａとの間に固定手段９を設けると共に、
前記冷風吹出し口カバー７の開口７ａの下方で冷風吹出し口カバー７の前部と冷風吹出し口６との間にダクト収納空間７ｂを形成し、
前記固定手段９の係合を外して冷風吐出ダクト８の全部もしくは一部をダクト収納空間７ｂに収納し、空気調和機使用時に冷風吐出ダクト８を引き出し、固定手段９によって引き出し位置を保持することを特徴とする空気調和機の冷風吐出ダクト構造。
【請求項２】
前記冷風吐出ダクト８は固定手段９の係合を外して、冷風吹出し口カバー７の開口７ａから取り外し可能に構成されていることを特徴とする請求項１に記載の空気調和機の冷風吐出ダクト構造。
【請求項３】
前記固定手段９は、冷風吐出ダクト８の基部８ｂに形成したリング状の溝部８ｃと、前記冷風吹出し口カバー７の開口７ａに設けた前記溝部８ｃに嵌合するツメ９ａと、このツメ９ａを操作する操作レバー９ｂとで構成した請求項１又は２に記載の空気調和機の冷風吐出ダクト構造。
【請求項４】
前記冷風吐出ダクト８の先端の冷風吐出部８ａの外径は、前記冷風吹出し口カバー７の開口７ａの内側最小寸法よりも大きく形成すると共に、該冷風吐出ダクト８の収納時に、大径の冷風吐出部８ａが前記冷風吹出し口カバー７の開口７ａに当接し、該冷風吐出ダクト８の冷風吐出部８ａが前記冷風吹出し口カバー７から突出していることを特徴とする請求項１ないし３のいずれか1項に記載の空気調和機の冷風吐出ダクト構造。
【請求項５】
前記冷風吹出し口カバー７のダクト収納空間７ｂの内壁には突部７ｃを形成し、該冷風吐出ダクト８はその収納時に、前記冷風吐出ダクト８の基部８ｂが冷風吹出し口カバー７の突部７ｃに当接しながら、冷風吐出ダクト８の上部が前記冷風吹出し口カバー７から突出している長さに設定したことを特徴とする請求項１ないし３のいずれか１項に記載の空気調和機の冷風吐出ダクト構造。
【請求項６】
前記エバポレータ５には温度検出手段１０を設け、
該温度検出手段１０の低温検出時に前記圧縮機２と送風ファン５ａの運転を停止すると共に、
この温度検出手段１０は、エバポレータ５の凍結防止機能と、冷風吐出ダクト８が吹出し口カバー７内に全部もしくは一部が収納された状態を検出する機能とを実現していることを特徴とする請求項１ないし５のいずれか１項に記載の空気調和機の冷風吐出ダクト構造。
【発明の詳細な説明】
【０００１】
【産業上の利用分野】
この発明は冷凍サイクルを利用して局所の空気調和を行う空気調和機の冷風吐出ダクト構造に関するものである。
【０００２】
【従来の技術】
枠体内には冷媒を圧縮する圧縮機と、圧縮された高温のガス状冷媒が送られるコンデンサと、コンデンサで液化した冷媒が減圧器を介して送られるエバポレータとを備え、該エバポレータで気化した冷媒が圧縮機に戻されることによって冷凍サイクルを構成している。
【０００３】
前記コンデンサとエバポレータには送風ファンを備えて常時送風されており、前記冷媒が圧縮機で加圧されると高温高圧になり、この冷媒はコンデンサを通過する空気流と熱交換して液化する。そして、この液化した高圧の冷媒は減圧器を経て圧力を下げてエバポレータに送られ、エバポレータを通過する空気を冷却することで冷媒はエバポレータ内部で気化し、この気化した冷媒は再び圧縮機で加圧されてコンデンサに送られる。
【０００４】
前記冷媒がエバポレータで気化する時にエバポレータを低温度にするから、送風ファンによりエバポレータを通過して冷却された空気流が枠体の冷風吹出し口から吹出すことで冷風機と呼ばれる空気調和機を構成している。
【０００５】
上記の空気調和機は枠体の前面の冷風吹出し口から枠体の前方に向けて冷風を吹出すものであり、枠体の前方にいる人の低い位置に冷風を吹き付ける構成となっている。このような冷風を受ける位置の制限をなくすために、フレキシブルな冷風吐出ダクトに冷風を吹き込んで希望する位置に冷風を吹出すことが考えられる。
【０００６】
具体的な構成としては、冷風吹出し口にフレキシブルな冷風吐出ダクトを取付けて、先端を任意な方向に向けることができる。更に、立ち上がった人の上半身に向けて冷風を希望することが多いと思われるから、えび曲げと呼ばれる吹出し方向を直角に変更するダクトを冷風吹出し口に取付けて吹出し方向を上方に向けることが行われ、このえび曲げダクトの上にフレキシブルな冷風吐出ダクトを取付けて、先端を高い位置から任意な方向に向けることも可能である。
【０００７】
【発明が解決しようとする課題】
しかし、このように吹出し方向を上方に変更するえび曲げダクトを使う時にはフレキシブルな冷風吐出ダクトが上を向いており、枠体の前面の突出寸法が少なくて済むものの、実際に製品化した時には、えび曲げダクトとフレキシブルな冷風吐出ダクトの二つの大きな部品の梱包が必要になり、また、この二つのダクトを冷風機の枠体に取付ける為には、各種の固定ねじなどが必要で、更に、このための工具も用意しなければならず、作業も不便なものである。
【０００８】
しかも、この種の空気調和機は季節商品であるから冬季には不要であり、収納する時には冷風吐出ダクトを付けたままでは大きな収納スペースが必要になるから、分解して保管することが好ましく、分解して保管するには保管するための梱包材料と、組立てた時の工具を常に保管しておく必要がある。また、このように分解した状態で保管するには、固定のための小さな部品を紛失する可能性が常にあり、部品の確認を行うと共に梱包材料の中に保管位置を用意する必要がある。
【０００９】
【課題を解決するための手段】
この発明は上記課題を解決するためのものであり、空気調和機の枠体１内には、冷媒を圧縮する圧縮機２と、高温のガス状冷媒が送られるコンデンサ３と、液化した冷媒が減圧器４を介して送られるエバポレータ５と、コンデンサ３及びエバポレータ５のそれぞれに送風する送風ファン３ａ・５ａと、エバポレータ５の送風ファン５ａの吐出口に接続する冷風吹出し口６とを設け、前記エバポレータ５で気化した冷媒が圧縮機２に戻される冷凍サイクルを構成する一体形の空気調和機において、前記枠体１の前面に形成した冷風吹出し口６の前面を覆いながら枠体１の前面に固定する冷風吹出し口カバー７を設け、該冷風吹出し口カバー７の前部は冷風吹出し口６から離れるように突出して上部に開口７ａを形成し、開口７ａには先端の冷風吐出部８ａを任意方向に変更可能とするフレキシブルで伸縮可能な冷風吐出ダクト８を装着し、該冷風吐出ダクト８の基部８ｂと吹出し口カバー７の開口７ａとの間に固定手段９を設けると共に、前記冷風吹出し口カバー７の開口７ａの下方で冷風吹出し口カバー７の前部と冷風吹出し口６との間にダクト収納空間７ｂを形成し、前記固定手段９の係合を外して冷風吐出ダクト８の全部もしくは一部をダクト収納空間７ｂに収納し、空気調和機使用時に冷風吐出ダクト８を引き出し、固定手段９によって引き出し位置を保持することを特徴とする。
【００１０】
また、前記冷風吐出ダクト８は固定手段９の係合を外して、冷風吹出し口カバー７の開口７ａから取り外し可能に構成することで、冷風吐出ダクト８を取り外して保管することもできる。
【００１１】
また、前記固定手段９は、冷風吐出ダクト８の基部８ｂに形成したリング状の溝部８ｃと、前記冷風吹出し口カバー７の開口７ａに設けた前記溝部８ｃに嵌合するツメ９ａと、このツメ９ａを操作する操作レバー９ｂとで構成したから、溝部８ｃとツメ９ａの嵌合は操作レバー９ｂによって外すことができる。
【００１２】
また、前記冷風吐出ダクト８の先端の冷風吐出部８ａの外径は、前記冷風吹出し口カバー７の開口７ａの内側最小寸法よりも大きく形成すると共に、該冷風吐出ダクト８の収納時に、大径の冷風吐出部８ａが前記冷風吹出し口カバー７の開口７ａに当接し、該冷風吐出ダクト８の冷風吐出部８ａが前記冷風吹出し口カバー７から突出しており、次回使用時に冷風吐出ダクト８が取り出し易くなった。
【００１３】
また、前記冷風吹出し口カバー７のダクト収納空間７ｂの内壁には突部７ｃを形成し、該冷風吐出ダクト８はその収納時に、前記冷風吐出ダクト８の基部８ｂが冷風吹出し口カバー７の突部７ｃに当接しながら、冷風吐出ダクト８の上部が前記冷風吹出し口カバー７から突出している長さに設定することによっても、次回使用時に冷風吐出ダクト８が取り出し易くなった。
【００１４】
更に、前記エバポレータ５には温度検出手段１０を設け、該温度検出手段１０の低温検出時に前記圧縮機２と送風ファン５ａの運転を停止すると共に、この温度検出手段１０は、エバポレータ５の凍結防止機能と、冷風吐出ダクト８が吹出し口カバー７内に全部もしくは一部が収納された状態を検出する機能とを実現すれば、もし、冷風吐出ダクト８を収納した状態で使用しても空気調和機の運転を安全に停止することができる。
【００１５】
【作用】
この発明では冷風吹出し口６を覆う冷風吹出し口カバー７の上部に設けた開口７ａに固定手段９を設け、冷風吐出ダクト８の基部８ｂが冷風吹出し口カバー７の開口７ａに保持されている。この状態で固定手段９を操作すると冷風吐出ダクト８の基部８ｂを開放するから、冷風吹出し口カバー７内に設けたダクト収納空間７ｂに、冷風吐出ダクト８の全部もしくはその一部を収納することが可能となり、また、この冷風吐出ダクト８を冷風吹出し口カバー７より取り外すことが可能となる。
【００１６】
また、冷風吐出ダクト８の固定手段９は冷風吐出ダクト８の基部８ｂの溝部８ｃとこの溝部８ｃにはまり込むツメ９ａで構成したから、操作レバー９ｂを操作することによって、溝部８ｃとツメ９ａとの係合を開放することができる。
【００１７】
また、冷風吐出部８ａの外径寸法を冷風吹出し口カバー７の上部の開口７ａよりも大きい寸法にしたときには、冷風吐出ダクト８をダクト収納空間７ｂへ収納する際に、冷風吐出部８ａの外形が開口７ａ部分に当接して冷風吐出ダクト８の全体がダクト収納空間７ｂへ収納することはなく、冷風吐出ダクト８の冷風吐出部８ａが前記冷風吹出し口カバー７から突出した状態のまま、それ以上ダクト収納空間７ｂに入り込むのを規制している。
【００１８】
また、上記と同じ動作を可能にするために、冷風吹出し口カバー７のダクト収納空間７ｂの内壁に形成した突部７ｃに、冷風吐出ダクト８の基部８ｂが当接しながら冷風吐出ダクト８の上部が冷風吹出し口カバー７から突出させることによっても、再使用時に冷風吐出ダクト８を引き出すことができる。
【００１９】
【実施例】
実施例を示す図によってこの構成を説明すると、１は空気調和機を構成する局所冷房用の冷風機の枠体、１ａは枠体１の前面板、２は枠体１内に収納された冷媒圧縮用の圧縮機、３は高温のガス状冷媒が送られるコンデンサ、４は液化した冷媒が減圧される減圧器である。５はエバボレータ、３ａ・５ａはコンデンサ３やエバボレータ５に空気を吹き付ける送風ファンである。前記減圧器４で減圧された冷媒はエバボレータ５に送られて気化し、この時エバボレータ５を低温度にするから送風ファン５ａの吐出口側の空気流は冷たくなり、局所を冷房することができる。また、エバポレータ５で気化した冷媒は圧縮機２に戻されることによって冷凍サイクルを構成している。
【００２０】
６は前記送風ファン５ａの吐出口に接続して枠体１の前方に冷風を吹出す構成となっている枠体１の前面板１ａに設けた冷風吹出し口、８は冷風吹出し口６から吹出す冷風の吹出し方向を任意に変更可能にするフレキシブルで伸縮可能な冷風吐出ダクト、８ａは冷風吐出ダクト８の先端で構成した冷風吐出部である。
【００２１】
フレキシブルで伸縮可能な冷風吐出ダクト８の先端を冷風吐出部８ａとする冷風機又はスポットエアコンと呼ばれる空気調和機は、一般に冷風吐出ダクト８の吹出し方向を上方に向けてから高い位置から側方などの任意方向に向けられており、冷風吐出ダクト８と枠体１は接着やネジ止めをされており容易に冷風吐出ダクト８のみを脱着することができなかった。
【００２２】
この発明は上記の問題を解決するもので、７は枠体１の冷風吹出し口６の前方を覆いながら突出して形成した冷風吹出し口カバー、７ａは冷風吹出し口６から離れるように突出した冷風吹出し口カバー７の上部に形成した開口であり、前記エバポレータ５によって冷却された空気は冷風吹出し口６から吹出し、冷風吹出し口カバー７の上部に設けた開口７ａから上方に向けて吹出している。
【００２３】
８ｂは冷風吹出し口カバー７の開口７ａに嵌め込まれる冷風吐出ダクト８の下部で構成した基部、９は吹出し口カバー７の開口７ａに冷風吐出ダクト８の基部８ｂを取付ける固定手段であり、該固定手段９によって開口７ａに固定された冷風吐出ダクト８は一旦上方へ冷風を誘導し、そのフレキシブル性を利用して、先端の冷風吐出部８ａの吹出し方向を任意に変更する。
【００２４】
７ｂは冷風吹出し口６と吹出し口カバー７との間に形成したダクト収納空間であり、冷風吐出ダクト８は、固定手段９を操作することによって、その係合を開放することができ、空気調和機を保管する時に吹出し口カバー７の開口７ａに固定されていた冷風吐出ダクト８は、吹出し口カバー７の内部のダクト収納空間７ｂに収納することができる。また、空気調和機を使用する時には、固定手段９を操作して冷風吐出ダクト８を引き出して、吹出し口カバー７の開口７ａに冷風吐出ダクト８の基部８ｂを取付けることができる。
【００２５】
この発明は冷風吹出し口カバー７の前部と冷風吹出し口６との問にダクト収納空間７ｂを形成したことを特長としており、冷風機やスポットエアコンは季節商品であるから冬季には不要であり、不使用時には冷風吐出ダクト８をダクト収納空間７ｂに収納する構造としたことにより保管の利便性を大きく改善できた。
【００２６】
このため、従来のように冷風吐出ダクト８を分解して保管する必要がなくなり、分解して保管するための梱包材料や、組立てた時の工具を常に保管しておく必要がなく、冷風吐出ダクト８を取付け固定のための小さな部品を紛失して、使用できなくなるといった問題点がすべて解決できた。また、夏季に使用する時にはそのまま冷風吐出ダクトを引き出して固定手段で固定するだけであるから、取扱性が格段に向上したものである。
【００２７】
また、冷風吐出ダクト８の基部８ｂと冷風吹出し口カバー７の開口７ａとの間に設けた固定手段９を操作して、冷風吐出ダクト８を上方へ引き出せば、冷風吹出し口カバー７から冷風吐出ダクト８を取り外すことが可能となる。このため、工場出荷の時などのように冷風吐出ダクト８を別途梱包して輸送時のショックに耐えるようにすることができる。
【００２８】
また、冷風吐出ダクト８はこのように着脱可能な構造とすることにより、容易にオプション部品等への換装が可能となると同時に、冷風吐出ダクト８の清掃、冷風吹出し口カバー７内の清掃が非常に容易となった。
【００２９】
図に示す実施例において、８ｃは冷風吐出ダクト８の基部８ｂに形成したリング状の溝部、９ａは冷風吹出し口カバー７の開口７ａに設けた溝部８ｃに嵌合するツメ、９ｂはツメ９ａを操作して溝部７ａとツメ９ａとの嵌合状態を変える操作レバーであり、溝部７ａとツメ９ａと操作レバー９ｂは前記固定手段９を構成している。
【００３０】
従って、ツメ９ａは溝部８ｃに嵌合しているから固定状態で冷風吐出ダクト８は自由に回転でき、先端の冷風吐出部８ａを任意の方向に向けることができると共に、操作レバー９ｂを操作して基部８ｂの溝部８ｃにはまり込んだツメ９ａをこの溝部８ｃから開放すると冷風吐出ダクト８はフリーとなり、該冷風吐出ダクト８の全部もしくは一部をダクト収納空間７ｂに収納することができる。また、操作レバー９ｂを操作することによって、通常のダクト収納空間７ｂ内への収納とは逆方向に冷風吐出ダクト８を移動させて、冷風吹出し口カバー７の開口７ａから引き出すこともできる。
【００３１】
また、図に示す実施例では冷風吐出ダクト８の先端の冷風吐出部８ａの外径を冷風吹出し口カバー７の開口７ａの内側最小寸法よりも大きく形成しており、前記操作レバー９ｂを操作して冷風吐出ダクト８を冷風吹出し口カバー７のダクト収納空間７ｂに収納する時に、大径の冷風吐出部８ａが冷風吹出し口カバー７の開口７ａに当接し、該冷風吐出ダクト８の冷風吐出部８ａが前記冷風吹出し口カバー７から突出した状態に保持されるようになった。
【００３２】
このため、冷風吐出部８ａの外径の方が開口７ａの内側最小寸法より小さい場合、冷風吐出ダクト８は冷風吹出し口カバー７内に落下してしまうという問題点は改善され、次回使用時に冷風吐出ダクト８が取り出し易くなった。
【００３３】
更に、該冷風吐出部８ａはその全体の外形を開口７ａよりも大きくする必要はなく、一部分でも大きくすれば冷風吐出ダクト８がダクト収納空間７ｂ内に落下しないから、同様の効果を確実に得ることができる。
【００３４】
図２に示す実施例において、７ｃは冷風吹出し口カバー７のダクト収納空間７ｂの内壁に設けられた突部であり、この突部７ｃの位置は前記冷風吐出ダクト８の収納時に、冷風吐出ダクト８の基部８ｂが冷風吹出し口カバー７の突部７ｃに当たり、冷風吐出部８ａが冷風吹出し口カバー７から突出している長さになるようにする。
【００３５】
このため、冷風吐出ダクト８が必要以上に冷風吹出し口カバー７のダクト収納空間７ｂに収納されることは無くなり、次回使用時に冷風吐出ダクト８が取り出し易くなった。また、冷風吹出し口カバー７の内壁に湾曲部を設ける時には、この内壁形状を適宜設定することによって、冷風吹出し口カバー７の内壁の一部に突部７ｃの働きをさせることができ、同様の効果を得ることができる。
【００３６】
図に示す実施例において、１０はエバボレータ５の温度を検出する温度検出手段であり、この温度検出手段１０は使用者の誤使用によって冷風吐出ダクト８が吹出し口カバー７内に全部もしくは一部が収納された状態で運転した時と、エバポレータ５の凍結などの熱交換不良時の検出ができ、該温度検出手段１０が異常低温を検出した時には前記圧縮機２と送風ファン５ａの運転を停止させる。
【００３７】
使用者の誤使用によって冷風吐出ダクト８が吹出し口カバー７内に収納された状態で運転すると、このエバボレータ５は送風量が低下し熱交換が成されなくなり低温となる。また、エバボレータ５は凍結が発生する時にも温度が低下するから、この異常状態はエバボレータ５の温度で検出でき、特別に冷風吐出ダクト８の位置を検出する機能を設けなくても、圧縮機２の液圧縮やエバボレータ５の凍結などの弊害に直結する誤使用に対する安全性が確保できる構造にできた。
【００３８】
【発明の効果】
上記のようにこの発明のフレキシブルで伸縮可能な冷風吐出ダクト８は、固定手段９を操作して冷風吐出ダクト８の全部もしくは一部をダクト収納空間７ｂに収納し、また、空気調和機使用時に冷風吐出ダクト８を引き出すことができるから、不使用時にはダクト収納空間７ｂに冷風吐出ダクト８を収納すればよく、分解して保管する必要が無く簡単な操作でコンパクトに保管できるようになった。
【００３９】
また、前記固定手段９による係合を外して、冷風吐出ダクト８を冷風吹出し口カバー７の開口７ａから取り外し可能に構成したから、冷風吐出ダクト８を別梱包として輸送でき、冷風吐出部の形状を変化させたオプション部品等への換装が容易となった。
【００４０】
また、固定手段９は溝部８ｃとツメ９ａと操作レバー９ｂとで構成したから、ツメ９ａが溝部８ｃに嵌合した固定状態であっても、冷風吐出ダクト８は自由に回転でき、先端の冷風吐出部８ａを任意の方向に向けることができると共に、操作レバー９ｂを操作して簡単に冷風吐出ダクト８の着脱ができるようになった。
【００４１】
また、冷風吐出ダクト８の先端の冷風吐出部８ａの外径を冷風吹出し口カバー７の開口７ａ寸法よりも大きく形成して、冷風吐出ダクト８の収納時に大径の冷風吐出部８ａが冷風吹出し口カバー７の開口７ａに当接する構造にしたから、冷風吐出ダクト８の収納時は必ず上部が冷風吹出し口カバー７から突出しており、収納状態から冷風吐出ダクト８を引き出す作業が非常に容易となった。
【００４２】
また、冷風吹出し口カバー７のダクト収納空間７ｂの内壁には突部７ｃを形成したから、上記の構造と同様に冷風吐出ダクト８の収納時は必ず上部が冷風吹出し口カバー７から突出しており、収納状態から冷風吐出ダクト８を引き出す作業が非常に容易となる。
【００４３】
更に、エバボレータ５には温度検出手段１０を設け、該温度検出手段１０の低温検出時に前記圧縮機２と送風ファン５ａの運転を制御する構成としたから、この温度検出手段１０は、エバボレータ５の凍結防止機能と、冷風吐出ダクト８が吹出し口カバー７内に全部もしくは一部が収納された状態を検出する機能とを合わせ持ち、安全な動作を提供できる製品とすることができた。
【図面の簡単な説明】
【図１】この発明の実施例を示す冷風機からなる空気調和機の断面図である。
【図２】この発明の実施例を示す空気調和機の冷風吐出ダクトを収納した状態の断面図である。
【符号の説明】
１    枠体
２    圧縮機
３    コンデンサ
３ａ  送風ファン
４    減圧器
５    エバポレータ
５ａ  送風ファン
６    冷風吹出し口
７    冷風吹出し口カバー
７ａ  開口
７ｂ  ダクト収納空間
７ｃ  突部
８    冷風吐出ダクト
８ａ  冷風吐出部
８ｂ  基部
８ｃ  溝部
９    固定手段
９ａ  ツメ
９ｂ  操作レバー
１０    温度検出手段
【図１】
2004205167.tif 000003
【図２】
2004205167.tif 000004